(57)【要約】【課題】新たにインストールされたアプリケーションが、既にインストールされている医療用のアプリケーションの動作に与える影響を監視可能にする。【解決手段】内視鏡システムは、被検体を観察又は処置するために用いられる医療機器と、医療機器を制御するための制御コマンドを生成する第１のアプリケーションがインストールされ、かつ新たに第２のアプリケーションをインストール可能な制御端末装置と、制御端末装置への第２のアプリケーションのインストールを監視する第１の監視装置と、を備える。【選択図】図１
2020005751.tif 000002
【特許請求の範囲】
【請求項１】
被検体を観察又は処置するために用いられる医療機器と、
前記医療機器を制御するための制御コマンドを生成する第１のアプリケーションがインストールされ、かつ新たに第２のアプリケーションをインストール可能な制御端末装置と、
前記制御端末装置への前記第２のアプリケーションのインストールを監視する第１の監視装置と、
を備えることを特徴とする内視鏡システム。
【請求項２】
前記第１の監視装置は、前記内視鏡システムが起動した時、又は、前記制御端末装置に前記第２のアプリケーションがインストールされた時に、前記制御端末装置における前記第１のアプリケーションの動作が所定の動作条件を満たすか否かを判定し、前記所定の動作条件を満たさないという判定結果である場合は、当該判定結果に関わる判定結果情報を外部サーバに送信する、
ことを特徴とする請求項１に記載の内視鏡システム。
【請求項３】
前記第１の監視装置は、さらに前記第２のアプリケーションのインストール履歴を示す履歴情報を前記外部サーバに送信する、
ことを特徴とする請求項２に記載の内視鏡システム。
【請求項４】
前記第１の監視装置は、前記制御端末装置に備えられる、
ことを特徴とする請求項１に記載の内視鏡システム。
【請求項５】
前記医療機器は、複数の周辺医療機器と通信可能に接続可能であり、
前記制御端末装置は、ネットワークを経由して複数のネットワーク装置と通信可能に接続可能であり、
前記内視鏡システムは、更に、前記医療機器と前記周辺医療機器との接続状態、及び、前記ネットワークを経由しての前記制御端末装置と前記ネットワーク装置との接続状態、を監視する第２の監視装置を備える、
ことを特徴とする請求項１に記載の内視鏡システム。
【請求項６】
前記第２の監視装置は、前記内視鏡システムが起動した時、又は、前記接続状態に変化が生じた時に、前記接続状態が所定の接続条件を満たすか否かを判定し、前記所定の接続条件を満たさないという判定結果である場合は、当該判定結果に関わる判定結果情報を外部サーバに送信する、
ことを特徴とする請求項５に記載の内視鏡システム。
【請求項７】
前記第２の監視装置は、前記制御端末装置に備えられる、
ことを特徴とする請求項５に記載の内視鏡システム。
【請求項８】
前記医療機器は、複数の周辺医療機器と通信可能に接続可能であり、
前記内視鏡システムは、更に、
前記制御端末装置と前記医療機器とを通信可能に接続すると共に、ネットワークを経由して複数のネットワーク装置と通信可能に接続可能なアダプタと、
前記医療機器と前記周辺医療機器との接続状態、及び、前記ネットワークを経由しての前記アダプタと前記ネットワーク装置との接続状態、を監視する第２の監視装置と、
を備える、
ことを特徴とする請求項１記載の内視鏡システム。
【請求項９】
前記第２の監視装置は、前記内視鏡システムが起動した時、又は、前記接続状態に変化が生じた時に、前記接続状態が所定の接続条件を満たすか否かを判定し、前記所定の接続条件を満たさないという判定結果である場合は、当該判定結果に関わる判定結果情報を外部サーバに送信する、
ことを特徴とする請求項８に記載の内視鏡システム。
【請求項１０】
前記第２の監視装置は、前記アダプタに備えられる、
ことを特徴とする請求項８に記載の内視鏡システム。
【請求項１１】
前記制御端末装置と前記アダプタは、無線に依り通信可能に接続される、
ことを特徴とする請求項８に記載の内視鏡システム。
【請求項１２】
前記制御端末装置は、第２のアプリケーションとして、前記医療機器を制御するための制御コマンドを生成しないアプリケーションをインストール可能である、
ことを特徴とする請求項１に記載の内視鏡システム。
【発明の詳細な説明】
【技術分野】
【０００１】
本発明は、医療分野で使用される内視鏡システムに関する。
【背景技術】
【０００２】
従来、医療分野で使用される装置、システムにおいては、操作性向上等を目的として、様々な提案が為されている。
例えば、特許文献１には、種類が異なる複数のモダリティの操作を可能にし、かつ、コンソールアプリケーションプログラムの更新作業を簡単にした携帯型コンソール端末が提案されている。また、特許文献２には、内視鏡装置の種類に応じた最適な機能を容易に追加可能とした内視鏡システムが提案されている。また、特許文献３には、電子内視鏡用プロセッサや電子内視鏡で動作するプログラムやそのプログラムで動作するパラメータを、ユーザの要望に応じてカスタマイズ可能とした電子内視鏡システムが提案されている。
【先行技術文献】
【特許文献】
【０００３】
【特許文献１】特開２０１４−１８８０８２号公報
【特許文献２】特開２０１６−９６９４１号公報
【特許文献３】特開２００８−２００１７３号公報
【発明の概要】
【発明が解決しようとする課題】
【０００４】
近年、ビデオプロセッサ、モニタ、電気メス装置等の医療機器で構成される内視鏡システムにおいて、導入された施設毎の使い方に応じて、新たなソフトウェアやハードウェアを追加してカスタマイズすることで検査効率を向上させたいという要望がある。
【０００５】
しかしながら、例えば、検査効率の向上を目的として民生用のアプリケーションを新たにインストールした際に、新たにインストールされたアプリケーションが、既にインストールされている医療用のアプリケーションの動作に影響を与える虞がある。
【０００６】
本発明は、上記実状に鑑み、新たにインストールされたアプリケーションが、既にインストールされている医療用のアプリケーションの動作に与える影響を監視することができる内視鏡システムを提供することを目的とする。
【課題を解決するための手段】
【０００７】
本発明の第１の態様は、内視鏡システムであって、被検体を観察又は処置するために用いられる医療機器と、前記医療機器を制御するための制御コマンドを生成する第１のアプリケーションがインストールされ、かつ新たに第２のアプリケーションをインストール可能な制御端末装置と、前記制御端末装置への前記第２のアプリケーションのインストールを監視する第１の監視装置と、を備えることを特徴とする。
【０００８】
本発明の第２の態様は、第１の態様において、前記第１の監視装置は、前記内視鏡システムが起動した時、又は、前記制御端末装置に前記第２のアプリケーションがインストールされた時に、前記制御端末装置における前記第１のアプリケーションの動作が所定の動作条件を満たすか否かを判定し、前記所定の動作条件を満たさないという判定結果である場合は、当該判定結果に関わる判定結果情報を外部サーバに送信する、ことを特徴とする。
【０００９】
本発明の第３の態様は、第２の態様において、前記第１の監視装置は、さらに前記第２のアプリケーションのインストール履歴を示す履歴情報を前記外部サーバに送信する、ことを特徴とする。
【００１０】
本発明の第４の態様は、第１の態様において、前記第１の監視装置は、前記制御端末装置に備えられる、ことを特徴とする。
本発明の第５の態様は、第１の態様において、前記医療機器は、複数の周辺医療機器と通信可能に接続可能であり、前記制御端末装置は、ネットワークを経由して複数のネットワーク装置と通信可能に接続可能であり、前記内視鏡システムは、更に、前記医療機器と前記周辺医療機器との接続状態、及び、前記ネットワークを経由しての前記制御端末装置と前記ネットワーク装置との接続状態、を監視する第２の監視装置を備える、ことを特徴とする。
【００１１】
本発明の第６の態様は、第５の態様において、前記第２の監視装置は、前記内視鏡システムが起動した時、又は、前記接続状態に変化が生じた時に、前記接続状態が所定の接続条件を満たすか否かを判定し、前記所定の接続条件を満たさないという判定結果である場合は、当該判定結果に関わる判定結果情報を外部サーバに送信する、ことを特徴とする。
【００１２】
本発明の第７の態様は、第５の態様において、前記第２の監視装置は、前記制御端末装置に備えられる、ことを特徴とする。
本発明の第８の態様は、第１の態様において、前記医療機器は、複数の周辺医療機器と通信可能に接続可能であり、前記内視鏡システムは、更に、前記制御端末装置と前記医療機器とを通信可能に接続すると共に、ネットワークを経由して複数のネットワーク装置と通信可能に接続可能なアダプタと、前記医療機器と前記周辺医療機器との接続状態、及び、前記ネットワークを経由しての前記アダプタと前記ネットワーク装置との接続状態、を監視する第２の監視装置と、を備える、ことを特徴とする。
【００１３】
本発明の第９の態様は、第８の態様において、前記第２の監視装置は、前記内視鏡システムが起動した時、又は、前記接続状態に変化が生じた時に、前記接続状態が所定の接続条件を満たすか否かを判定し、前記所定の接続条件を満たさないという判定結果である場合は、当該判定結果に関わる判定結果情報を外部サーバに送信する、ことを特徴とする。
【００１４】
本発明の第１０の態様は、第８の態様において、前記第２の監視装置は、前記アダプタに備えられる、ことを特徴とする。
本発明の第１１の態様は、第８の態様において、前記制御端末装置と前記アダプタは、無線に依り通信可能に接続される、ことを特徴とする。
【００１５】
本発明の第１２の態様は、第１の態様において、前記制御端末装置は、第２のアプリケーションとして、前記医療機器を制御するための制御コマンドを生成しないアプリケーションをインストール可能である、ことを特徴とする。
【発明の効果】
【００１６】
本発明に依れば、新たにインストールされたアプリケーションが、既にインストールされている医療用のアプリケーションの動作に与える影響を監視することができる、という効果を奏する。
【図面の簡単な説明】
【００１７】
【図１】一実施の形態に係る内視鏡システムの構成例を示す図である。
【図２】一実施の形態に係る内視鏡システムの一部の構成例について具体的に示す図である。
【図３】第１の監視装置及び第２の監視装置の各監視装置のハードウェア構成例を示す図である。
【図４】携帯端末の納品から内視鏡システムにおける処理が実行されてサーバへの情報の送信等が行われるまでの流れの一例を示すフローチャートである。
【図５】変形例に係る内視鏡システムの構成例を示す図である。
【発明を実施するための形態】
【００１８】
以下、図面を参照しながら、本発明の実施の形態について説明する。
図１は、一実施の形態に係る内視鏡システムの構成例を示す図である。図２は、一実施の形態に係る内視鏡システムの一部の構成例について具体的に示す図である。
【００１９】
図１に示したとおり、内視鏡システム１は、携帯型情報端末装置（以下「携帯端末」と称す）２、アダプタ３、医療機器４、複数の周辺医療機器５、ＩＴ（Information Technology）システム６、ファイアウォール７、及びサーバ８を含む。
【００２０】
携帯端末２、アダプタ３、医療機器４、及び複数の周辺医療機器５は、病院の検査室内で使用される。ＩＴシステム６及びファイアウォール７は、病院内に設けられる。サーバ８は、携帯端末２の製造会社の工場内等に設けられる。
【００２１】
なお、携帯端末２の製造会社は、携帯端末２にインストールされる医療用アプリケーション（以下「医療アプリ」と称す）の開発や、医療アプリの更新用アプリケーション（以下「更新アプリ」と称す）の開発等も行う。医療アプリは、医療機器４及び複数の周辺医療機器５を制御可能にするためのアプリケーション（以下「アプリ」と称す）であって、その開発段階では、予め想定された使用条件において動作保証がされている。ここで、予め想定された使用条件とは、例えば、携帯端末２に医療アプリがインストールされ、かつ、その携帯端末２が予め想定されたシステム構成の中で使用される、等といった条件である。なお、予め想定されたシステム構成の中には、医療機器４及び周辺医療機器５が含まれる。
【００２２】
携帯端末２とアダプタ３、アダプタ３と医療機器４、及び、医療機器４と各周辺医療機器５は、通信可能に接続される。例えば、携帯端末２はアダプタ３に対して着脱自在に構成されており、携帯端末２がアダプタ３に取り付けられたときは両者が有線に依り通信可能に接続され、携帯端末２がアダプタ３から取り外されたときは両者が無線に依り通信可能に接続される。
【００２３】
アダプタ３とＩＴシステム６は、院内ネットワーク９に接続され、当該院内ネットワーク９を経由して通信可能に接続される。院内ネットワーク９は、病院内に設けられたネットワークであって、例えばＬＡＮ（Local Area Network）である。院内ネットワーク９と院外ネットワーク１０は、ファイアウォール７に依って接続される。院外ネットワーク１０は、病院外に設けられたネットワークであって、例えばインターネットである。サーバ８は、院外ネットワーク１０に接続され、当該院外ネットワーク１０、ファイアウォール７、及び院内ネットワーク９を経由してアダプタ３等と通信可能に接続される。
【００２４】
なお、院内ネットワーク９に接続された装置や、院外ネットワーク１０に接続された装置は、ネットワーク装置とも称す。
携帯端末２は、例えば、タブレット型の情報端末装置又はスマートフォンである。
【００２５】
携帯端末２は、医療アプリがインストールされると、医療機器４及び複数の周辺医療機器５を制御可能になる。医療アプリは、具体的には、医療機器４及び複数の周辺医療機器５を制御するための制御コマンドの生成及び送信等を行う。制御コマンドの送信では、医療機器４を制御するための制御コマンドが、アダプタ３を経由して医療機器４に送信され、周辺医療機器５を制御するための制御コマンドが、アダプタ３及び医療機器４を経由して周辺医療機器５に送信される。
【００２６】
また、携帯端末２は、新たなアプリとして、非医療アプリのインストールも可能であり、医療アプリの更新アプリや非医療アプリの更新アプリのインストールも可能である。非医療アプリは、医療機器４及び複数の周辺医療機器５等の医療機器を制御するための制御コマンドの生成及び送信を行わないアプリであって、例えば、印刷アプリや音声入力支援アプリ等の民生用アプリである。
【００２７】
携帯端末２は、ＨＤＤ（Hard Disk Drive）２１、ＣＰＵ（Central Processing Unit）ボード２２、及び第１の監視装置２３を備える。
ＨＤＤ２１は、携帯端末２にインストールされた医療アプリや非医療アプリ等のプログラムを格納する。
【００２８】
ＣＰＵボード２２は、ＯＳ（Operating System）を格納したメモリと、そのＯＳやＨＤＤ２１に格納されたアプリ等のプログラムを実行するＣＰＵと、アダプタ３と通信を行うための通信インターフェース等を備える。
【００２９】
第１の監視装置２３は、携帯端末２への新たなアプリのインストールを監視する。また、第１の監視装置２３は、内視鏡システム１が起動した時、又は、携帯端末２に新たなアプリがインストールされた時に、携帯端末２における医療アプリの動作が所定の動作条件を満たすか否かを判定し、所定の動作条件を満たさないという判定結果である場合は、当該判定結果に関わる判定結果情報をサーバ８に送信する。この判定結果情報には、第１の監視装置２３に依る監視ログが含まれてもよい。この監視ログは、携帯端末２にインストールされたアプリのインストール履歴を示す情報でもある。
【００３０】
携帯端末２は、その他、図示はしないが、タッチパネル等の入力装置や液晶ディスプレイ等の出力装置等も備える。
アダプタ３は、携帯端末２と医療機器４とを通信可能に接続する装置である。
【００３１】
アダプタ３は、ＨＤＤ３１、ＣＰＵボード３２、及び第２の監視装置３３を備える。
ＨＤＤ３１は、制御用ソフトウェア（以下「制御ソフト」と称す）等のプログラムを格納する。制御ソフトは、例えば、アダプタ３を経由する通信を制御するためのソフトウェア（以下「ソフト」と称す）や、医療機器４に依り生成された映像信号を携帯端末２やＩＴシステム６等にリアルタイムにストリーミング配信するための制御を行うソフトである。
【００３２】
ＣＰＵボード３２は、ＯＳを格納したメモリと、そのＯＳやＨＤＤ３１に格納された制御ソフト等のプログラムを実行するＣＰＵと、携帯端末２、医療機器４、ＩＴシステム６、及びサーバ８等と通信を行うための通信インターフェース等を備える。
【００３３】
第２の監視装置３３は、医療機器４と周辺医療機器５との接続状態、及び、院内ネットワーク９を経由してのアダプタ３とＩＴシステム６との接続状態を監視する。また、第２の監視装置３３は、内視鏡システム１が起動した時、又は、監視中の接続状態に変化が生じた時に、その時の接続状態が所定の接続条件を満たすか否かを判定し、所定の接続条件を満たさないという判定結果である場合は、当該判定結果に関わる判定結果情報をサーバ８に送信する。この判定結果情報には、第２の監視装置３３に依る監視ログが含まれてもよい。
【００３４】
なお、アダプタ３も、液晶ディスプレイ等の出力装置やタッチパネル等の入力装置等を備えてもよい。
医療機器４及び複数の周辺医療機器５は、被検体を観察又は処置するために用いられる医療機器である。
【００３５】
詳しくは、医療機器４は、図２に示したとおり、内視鏡用ビデオプロセッサ（以下「内視鏡プロセッサ」と称す）であり、被検体内に挿入された図示しない内視鏡の撮像部から出力された撮像信号に基づいて映像信号の生成等を行う。医療機器４は、携帯端末２から送信される制御コマンドに従って動作可能である。
【００３６】
複数の周辺医療機器５は、図２に示したとおり、医療機器４である内視鏡プロセッサに依り生成された映像信号の表示等を行う観察モニタ、医療機器４である内視鏡プロセッサに依り生成された映像信号の記録等を行うレコーダ、二酸化炭素を用いて気腹する気腹装置、及び人体に高周波電流を流して切開や止血等を行う電気メス装置である。各周辺医療機器５も、携帯端末２から送信される制御コマンドに従って動作可能である。
【００３７】
ＩＴシステム６は、ＰＣ（Personal Computer）やサーバ等を含み、医療情報を含む病院内の情報の管理等を行うシステムである。
ファイアウォール７は、院内ネットワーク９と院外ネットワーク１０との間の通信において、所定の基準に従って不正と判断される通信の遮断等を行う。
【００３８】
サーバ８は、第１の監視装置２３から送信される判定結果情報、及び、第２の監視装置３３から送信される判定結果情報を蓄積する。蓄積された判定結果情報は、医療アプリの開発会社である携帯端末２の製造会社にて、例えば、医療アプリの動作や性能を検証する際に使用される。
【００３９】
図３は、第１の監視装置及び第２の監視装置の各監視装置のハードウェア構成例を示す図である。
図３に示したとおり、第１の監視装置２３及び第２の監視装置３３の各監視装置は、ＣＰＵ１０１、メモリ１０２、入出力インターフェース１０３、及び通信インターフェース１０４を備え、これらはバス１０５に依って互いに接続されている。
【００４０】
図３に示したハードウェア構成が第１の監視装置２３である場合、ＣＰＵ１０１は、第１の監視装置２３が行う処理のためのプログラムを実行する演算装置である。メモリ１０２は、ＲＡＭ（Random Access Memory）及びＲＯＭ（Read Only Memory）であり、ＲＡＭはＣＰＵ１０１のワークエリア等として使用され、ＲＯＭはプログラムやプログラムの実行に必要な情報を不揮発的に記憶する。入出力インターフェース１０３は、ＣＰＵボード２２に接続され、ＣＰＵボード２２との間で信号の入出力を行う。通信インターフェース１０４は、アダプタ３と通信を行うためのインターフェースである。なお、図３に示した第１の監視装置２３としてのハードウェア構成は、ＣＰＵボード２２に備えられてもよい。
【００４１】
図３に示したハードウェア構成が第２の監視装置３３である場合、ＣＰＵ１０１は、第２の監視装置３３が行う処理のためのプログラムを実行する演算装置である。メモリ１０２は、上述のとおりである。入出力インターフェース１０３は、ＣＰＵボード３２に接続され、ＣＰＵボード３２との間で信号の入出力を行う。通信インターフェース１０４は、携帯端末２、医療機器４、ＩＴシステム６、及びサーバ８等と通信を行うためのインターフェースである。なお、図３に示した第２の監視装置３３としてのハードウェア構成は、ＣＰＵボード３２に備えられてもよい。
【００４２】
第１の監視装置２３及び第２の監視装置３３の各監視装置は、図３に示したハードウェア構成に限らず、例えば、ＦＰＧＡ（field-programmable gate array）やＡＳＩＣ（application specific integrated circuit）等の回路に依って実現されてもよい。この場合も、第１の監視装置２３としての回路がＣＰＵボード２２に備えられ、第２の監視装置３３としての回路がＣＰＵボード３２に備えられてもよい。
【００４３】
次に、内視鏡システム１において実行される処理について説明する。
図４は、携帯端末の納品から内視鏡システムにおける処理が実行されてサーバへの情報の送信等が行われるまでの流れの一例を示すフローチャートである。
【００４４】
図４に示したとおり、このフローチャートでは、まず、携帯端末２及び医療アプリが病院に納品され、医療アプリが携帯端末２にインストールされる（Ｓ４０１）。次に、携帯端末２が使用される検査室の施設や使用者の好みに応じて非医療アプリが携帯端末２にインストールされる（Ｓ４０２）。その後、ＩＴシステム６の設置や院内ネットワーク９への接続等が行われ（Ｓ４０３）、図１に示した内視鏡システム１が構築される。
【００４５】
そして、内視鏡システム１が起動されると、第１の監視装置２３ではＳ４０４乃至Ｓ４０８の処理が実行され、第２の監視装置３３ではＳ４０９乃至Ｓ４１２の処理が実行される。
Ｓ４０４乃至Ｓ４０８の処理では、第１の監視装置２３が、まず、携帯端末２への新たなアプリのインストールの監視を開始する（Ｓ４０４）。
【００４６】
次に、第１の監視装置２３は、携帯端末２にインストールされている医療アプリの性能試験を実施し（Ｓ４０５）、その試験結果が医療アプリの性能を維持可能なものであるか否かを判定する（Ｓ４０６）。医療アプリの性能試験は、医療アプリを動作させて、その動作結果が所定の動作基準を満たすか否かを判定するものでもある。所定の動作基準は、医療アプリの性能を維持可能と判断できる基準である。
【００４７】
Ｓ４０６の判定結果がＮＯの場合、第１の監視装置２３は、エラー告知を行うと共に、試験結果に関わる情報をサーバ８に送信する（Ｓ４０７）。ここで、エラー告知は、例えば、医療アプリの性能維持が不可である旨のエラーメッセージを携帯端末２に表示させることに依って行われる。また、サーバ８に送信される試験結果に関わる情報は、第１の監視装置２３に依る監視ログを含んでもよい。
【００４８】
一方、Ｓ４０６の判定結果がＹＥＳの場合、又は、Ｓ４０７の後、第１の監視装置２３は、携帯端末２に新たなアプリがインストールされたか否かを判定する（Ｓ４０８）。Ｓ４０８の判定結果がＹｅｓの場合は処理がＳ４０５へ戻り、Ｓ４０８の判定結果がＮＯの場合は本判定を繰り返す。
【００４９】
この第１の監視装置２３に依る処理（Ｓ４０４乃至Ｓ４０８）に依れば、内視鏡システム１が起動された時、又は、携帯端末２に新たなアプリがインストールされた時に、医療アプリの性能試験が実施される。そして、その試験結果が医療アプリの性能を維持可能なものでない場合には、エラー告知と共に試験結果に関わる情報がサーバ８に送信される。
【００５０】
一方、Ｓ４０９乃至Ｓ４１２の処理では、第２の監視装置３３が、まず、医療機器４と周辺医療機器５との接続状態、及び、院内ネットワーク９を経由してのアダプタ３とＩＴシステム６との接続状態の監視を開始する（Ｓ４０９）。この監視は、例えば、第２の監視装置３３が定期的に、医療機器４、周辺医療機器５、及びＩＴシステム６と通信を行って医療機器４の機器ＩＤ（identifier）、周辺医療機器５の機器ＩＤ、及びＩＴシステム６に含まれるネットワーク装置のＩＰ（Internet Protocol）アドレスやＮＩＣ（Network Interface Card）ＩＤを取得することに依って行われる。
【００５１】
次に、第２の監視装置３３は、医療機器４と周辺医療機器５との接続状態、及び、院内ネットワーク９を経由してのアダプタ３とＩＴシステム６との接続状態が、所定の接続条件を満たすか否かを判定する（Ｓ４１０）。所定の接続条件は、医療アプリの開発段階において想定された機器接続構成である。この機器接続構成の範囲内で機器が接続されている場合は、少なくとも携帯端末２にインストールされたアプリが医療アプリのみである場合において医療アプリの動作保証がされている。
【００５２】
Ｓ４１０の判定結果がＮＯの場合、第２の監視装置３３は、警告を行うと共に、判定結果に関わる情報をサーバ８に送信する（Ｓ４１１）。ここで、警告は、例えば、携帯端末２と通信を行って、想定外の機器接続がある旨の警告メッセージを携帯端末２に表示させることに依って行われる。また、サーバ８に送信される判定結果に関わる情報は、その時の機器接続状態に関わる情報を含み、更に、第２の監視装置３３に依る監視ログを含んでもよい。
【００５３】
一方、Ｓ４１０の判定結果がＹＥＳの場合、又は、Ｓ４１１の後、第２の監視装置３３は、監視中の接続状態に変化が生じたか否かを判定する（Ｓ４１２）。なお、監視中の接続状態に変化が生じるとは、例えば、医療機器４に接続される周辺医療機器５の数が増減したり、医療機器４に接続される周辺医療機器５が変更されたり、ＩＴシステム６に含まれるネットワーク装置の数が増減したり、ＩＴシステム６の構成が変更されたりすることである。Ｓ４１２の判定結果がＹｅｓの場合は処理がＳ４１０へ戻り、Ｓ４１２の判定結果がＮＯの場合は本判定を繰り返す。
【００５４】
この第２の監視装置３３に依る処理（Ｓ４０９乃至Ｓ４１２）に依れば、内視鏡システム１が起動された時、又は、監視中の接続状態に変化が生じた時に、機器の接続状態が所定の接続状態を満たすか否かが判定される。そして、所定の接続条件を満たさないという判定結果である場合には、警告と共に判定結果に関わる情報がサーバ８に送信される。
【００５５】
以上、本実施形態によれば、携帯端末２に新たなアプリがインストールされる毎に、医療アプリの性能試験が実施されるので、新たにインストールされたアプリが医療アプリの動作に与える影響を監視することができる。
【００５６】
また、医療アプリの性能試験の結果が、医療アプリの性能を維持可能でないものである場合は、その結果に関わる情報がサーバ８に送信され、また、機器の接続状態が所定の接続状態を満たさない場合は、その時の接続状態に関わる情報がサーバ８に送信されるので、医療アプリの開発会社である携帯端末２の製造会社では、その情報に基づいて医療アプリの動作や性能について検証を行うことができる。
【００５７】
本実施形態においては、各種の変形が可能である。
例えば、第２の監視装置３３は、更に、医療機器４の機器設定状態と、医療機器４に接続されている周辺医療機器５の機器設定状態とを監視してもよい。この監視は、例えば、第２の監視装置３３が定期的に、医療機器４及び周辺医療機器５と通信を行って、その機器設定に関する情報を取得することに依って行われる。
【００５８】
また、例えば、第１の監視装置２３は、更に、当該第１の監視装置２３に依る監視ログを定期的にサーバ８に送信し、第２の監視装置３３は、更に、当該第２の監視装置３３に依る監視ログを定期的にサーバ８に送信してもよい。そして、サーバ８は、更に、その監視ログを蓄積してもよい。
【００５９】
また、例えば、図４に示したＳ４０７において、第１の監視装置２３は、サーバ８に送信する試験結果に関する情報に、第２の監視装置３３に依る監視ログを含めてもよい。この場合、第２の監視装置３３に依る監視ログは、例えば、第２の監視装置３３との通信に依って第２の監視装置３３から取得される。
【００６０】
また、例えば、図４に示したＳ４１１において、第２の監視装置３３は、サーバ８に送信する判定結果に関する情報に、第１の監視装置２３に依る監視ログを含めてもよい。この場合、第１の監視装置２３に依る監視ログは、例えば、第１の監視装置２３との通信に依って第１の監視装置２３から取得される。
【００６１】
また、例えば、内視鏡システム１は、アダプタ３を備えない構成としてもよい。
図５は、アダプタを備えない変形例に係る内視鏡システムの構成例を示す図である。なお、図５は、図２に対応する図であって、ＩＴシステム６、ファイアウォール７、院外ネットワーク１０、及びサーバ８の図示を省略している。
【００６２】
図５に示したとおり、変形例に係る内視鏡システム１では、携帯端末２が医療機器４である内視鏡プロセッサと通信可能に直接接続される。また、携帯端末２は院内ネットワーク９にも接続される。これに依り、携帯端末２は、院内ネットワーク９を経由してＩＴシステム６と通信可能に接続されると共に、院内ネットワーク９、ファイアウォール７、及び院外ネットワーク１０を経由してサーバ８と通信可能に接続される。
【００６３】
また、この変形例に係る内視鏡システム１では、アダプタ３のＨＤＤ３１に格納されていた制御ソフト等のプログラムが携帯端末２のＨＤＤ２１に格納され、アダプタ３に備えられていた第２の監視装置３３が携帯端末２に備えられる。この場合、第２の監視装置３３は、アダプタ３とＩＴシステム６の接続状態の代わりに、携帯端末２とＩＴシステム６の接続状態を監視する。
【００６４】
この変形例に係る内視鏡システム１によれば、内視鏡システム１の構成を簡素化することができる。
また、本実施形態において、例えば、医療アプリ及びその更新アプリの開発を、携帯端末２の製造会社以外の会社が行ってもよい。すなわち、医療アプリ及びその更新アプリを開発する会社と携帯端末２の製造会社とが異なってもよい。この場合は、サーバ８が、医療アプリ及びその更新アプリを開発する会社に設けられてもよい。
【００６５】
あるいは、例えば、医療アプリ及びその更新アプリの開発を、複数の会社が行ってもよい。この場合は、医療アプリ及びその更新アプリの開発を、携帯端末２の製造会社と、携帯端末２の製造会社以外の１つ以上の会社とが行ってもよいし、携帯端末２の製造会社以外の複数の会社のみが行ってもよい。この場合は、サーバ８が、医療アプリ及びその更新アプリを開発する会社の少なくとも１つに設けられてもよい。
【００６６】
また、本実施形態において、例えば、携帯端末２に別の医療アプリが更にインストールされてもよい。ここで、別の医療アプリは、医療機器４及び複数の周辺医療機器５以外の医療機器を制御可能にするためのアプリであって、例えば、無影灯等の医療用照明機器を制御可能にするためのアプリや、医療用ベッドを制御可能にするためのアプリ等である。この別の医療アプリは、携帯端末２の製造会社が開発したアプリであってもよいし、携帯端末２の製造会社以外の会社が開発したアプリであってもよい。
【００６７】
また、本実施形態において、例えば、医療アプリ及びその更新アプリの開発を行う会社が、更に、非医療アプリ及びその更新アプリの開発を行ってもよい。この場合の非医療アプリは、例えば、患者情報の管理等を行う患者ID（identifier）支援アプリ、医療用画像を管理する画像管理アプリ、レポートの作成を支援するレポーティングアプリ等のアプリである。
【００６８】
以上、本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせに依り、様々の発明を形成できる。例えば、実施形態に示される全構成要素のいくつかの構成要素を削除してもよい。さらに、異なる実施形態にわたる構成要素を適宜組み合わせてもよい。
【符号の説明】
【００６９】
１          内視鏡システム
２          携帯端末
３          アダプタ
４          医療機器
５          周辺医療機器
６          ＩＴシステム
７          ファイアウォール
８          サーバ
９          院内ネットワーク
１０        院外ネットワーク
２１        ＨＤＤ
２２        ＣＰＵボード
２３        第１の監視装置
３１        ＨＤＤ
３２        ＣＰＵボード
３３        第２の監視装置
１０１      ＣＰＵ
１０２      メモリ
１０３      入出力インターフェース
１０４      通信インターフェース
１０５      バス
【図１】
2020005751.tif 000003
【図２】
2020005751.tif 000004
【図３】
2020005751.tif 000005
【図４】
2020005751.tif 000006
【図５】
2020005751.tif 000007